(57)【要約】      （修正有）【課題】既知の制限から解放されたカレンダー表示機構を提供する。【解決手段】第１円板Ｍ１及び第２円板を備え、ある一定の日付について、第１円板Ｍ１によって生じる記号と、第２円板によって生じる記号とを組み合わせることによる第１日付値及び、他の日付について、第２円板によってのみ生じる記号による第２日付値を表示するように配列される。第１円板Ｍ１は、修正された１の位の表示円板であり、第１列Ｕ１の最大で９つの第１の連続する１の位の数字Ｕ１を備える第１系列の記号Ｉ１を帯同し、第１系列の記号Ｉ１は、１０の位の完全な系列に関し、少なくとも第２の１の位の数字Ｕ２によって切り取られ、且つ第２円板は、修正された１０の位の表示円板であり、日付の少なくとも１０の位の表示のための第２系列の記号を含み、日付は、１０の位の数字及び第２の１の位の数字Ｕ２で形成される２つの数字の少なくとも１つの組み合わせを備える。【選択図】図１Ａ
2016126009.tif 000002
【特許請求の範囲】
【請求項１】
第１円板（Ｍ１）及び第２円板（Ｍ２）を含む時計運動のための総括日付カレンダー表示装置であって、前記第１及び第２円板（Ｍ１、Ｍ２）は、ある一定の日付について、前記第１円板（Ｍ１）によって生じる記号と、前記第２円板（Ｍ２）によって生じる記号とを組み合わせることによる第１日付値（Ｑ１）及び、他の日付について、前記第２円板（Ｍ２）によってのみ生じる記号を用いることによる第２日付値（Ｑ２）を表示するように配列される、総括日付カレンダー表示装置において、
前記第１円板（Ｍ１）は、修正された１の位の表示円板であり、第１列（Ｕ１）の最大で９つの第１の連続する１の位の数字（ｕ１）を備える第１系列の記号（Ｉ１）を帯同し、前記第１系列の記号（Ｉ１）は、１０の位の完全な系列に関して、少なくとも第２の１の位の数字（ｕ２）によって切り取られ、
且つ、前記第２円板（Ｍ２）は、前記日付の少なくとも１０の位の表示のための第２系列の記号（Ｉ２）を備える、修正された１０の位の表示円板であり、前記日付は、１０の位の数字（ｄ）及び前記第２の１の位の数字（ｕ２）から形成される２つの数字の少なくとも１つの組み合わせを含む、ことを特徴とする、総括日付カレンダー表示装置。
【請求項２】
前記第１円板（Ｍ１）の前記第１列（Ｕ１）の第１の１の位の数字（ｕ１）は、１０の位の完全な系列に関して、数字「０」で始まる、第２列（Ｕ２）の幾つかの第２の連続する１の位の数字（ｕ２）によって切り取られることを特徴とする、請求項１に記載の総括日付カレンダー表示装置。
【請求項３】
前記第１円板（Ｍ１）は、前記第１系列の記号（Ｉ１）を帯同する、最大で１０の第１表示セグメント（Ｓ１０〜Ｓ１９）の第１の数（Ｎ１）を有することを特徴とする、請求項１又は２に記載の総括日付カレンダー表示装置。
【請求項４】
前記第１系列の記号（Ｉ１）の第１記号（ｉ１）及び前記第２系列の記号（Ｉ２）の第２記号（ｉ２）は、前記第１円板（Ｍ１）の第１表示セグメント（Ｓ１０〜Ｓ１９）及び前記第２円板（Ｍ２）の第２表示セグメント（Ｓ２０〜Ｓ２９）の上に、それぞれ規則正しく分布することを特徴とする、請求項１〜３のいずれか一項に記載の総括日付カレンダー表示装置。
【請求項５】
前記第１円板（Ｍ１）の第１表示セグメント（Ｓ１０〜Ｓ１９）の第１の数（Ｎ１）及び前記第２円板（Ｍ２）の第２表示セグメント（Ｓ２０〜Ｓ２９）の第２の数（Ｎ２）は同一であることを特徴とする、請求項４に記載の総括日付カレンダー表示装置。
【請求項６】
第１表示セグメント（Ｓ１０、Ｓ１１、Ｓ１２、Ｓ１３、Ｓ１４、Ｓ１５、Ｓ１６、Ｓ１７、Ｓ１８、Ｓ１９）の各々は、第１の数字（ｕ１）又は第１凹部（ｖ１）が後に続く別の第１凹部（ｖ１）を並置することに関連付けられ、且つ第２表示セグメント（Ｓ２０、Ｓ２１、Ｓ２２、Ｓ２３、Ｓ２４、Ｓ２５、Ｓ２６、Ｓ２７、Ｓ２８、Ｓ２９）の各々は、第２凹部（ｖ２）又は第２の１の位の数字（ｕ２）が後に続く１０の位の数字（ｄ）を並置することに関連付けられることを特徴とする、請求項４又は５に記載の総括日付カレンダー表示装置。
【請求項７】
前記第１凹部（ｖ１）のサイズ、前記第２凹部（ｖ２）のサイズ、前記１０の位の数字（ｄ）のサイズ、前記第１の１の位の数字（ｕ１）のサイズ、及び前記第２の１の位の数字（ｕ２）のサイズは、全て同一であることを特徴とする、請求項６に記載の総括日付カレンダー表示装置。
【請求項８】
前記第１及び第２の円板（Ｍ１、Ｍ２）は、重ねられた同心の環状要素によって形成されることを特徴とする、請求項１〜７のいずれか一項に記載の総括日付カレンダー表示装置。
【請求項９】
前記第１及び第２の円板（Ｍ１、Ｍ２）の各々は、日付に応じて、２４時間駆動ホイール（Ｒ）と選択的に噛み合う、第１及び第２の日周のギア歯部（Ｄ１、Ｄ２）をそれぞれ有することを特徴とする、請求項１〜８のいずれか一項に記載の総括日付カレンダー表示装置。
【請求項１０】
前記第１及び第２の円板（Ｍ１、Ｍ２）の各々は、前記第１及び第２の主ギア歯部（Ｄ１、Ｄ２）の第１及び第２のギア平面（Ｐ１、Ｐ２）とは異なる第３及び第４のギア平面（Ｐ１’、Ｐ２’）にそれぞれ配列された、第１及び第２の補助補正歯部（Ｄ１’、Ｄ２’）をそれぞれ更に有することを特徴とする、請求項９に記載の総括日付カレンダー表示装置。
【請求項１１】
前記第１円板（Ｍ１）は、保持プレート（Ｐ）の周りに回転する環状要素によって形成され、前記第２円板（Ｍ２）を駆動するための要素は、前記第１円板（Ｍ１）上に配列され、固定ギアセクタ（Ｋ）が前記保持プレート（Ｐ）上に配列され、且つ、前記第２円板（Ｍ２）のための前記駆動要素は、少なくともある一定の日付について、前記第２円板（Ｍ２）を駆動するために、前記固定ギアセクタ（Ｋ）と協力することを特徴とする、請求項８〜１０のいずれか一項に記載の総括日付カレンダー表示装置。
【発明の詳細な説明】
【技術分野】
【０００１】
本発明はカレンダー表示機構に関し、且つ、特に「総括日付」カレンダー表示機構に関する。
【背景技術】
【０００２】
時計用の、且つ特に着用可能な腕時計用の従来のカレンダー装置は、通常、規則的に分布した３１個の環状セクタを含む環状の日付円板を使用し、セクタの各々は、月の可能な日付の１つに対応する指示を含む。日付円板は、毎日１つの位置にインデックスされ、それによって、各日に対応する日付値を開口部を通して見せるが、この日付値は、１つ以上の数字で形成される。各インデックス位置によって占有される環状セクタは、従って、比較的制限され（３６０／３１、即ち、１２度にわずかに満たない）、このことは、そこに表示され得る数の最大サイズを大幅に限定する。
【０００３】
日付を読み取るための、開口部に表示される指示のサイズを増加させるために、２つの異なる円板を使用するシステムが、それ故に存在するが、その１つは、日付の１０の位の数字を表示するためのもの、及び他の１つは、１の位の数字を表示するためのものである。２つの異なる円板によって生じる２つの数字を組み合わせる、このタイプのカレンダー表示は、「総括日付」表示と呼ばれる。これらの表示装置は、毎日１の位と１０の位との正確な組み合わせを表示するために、円板の各々にそれぞれインデックスするための制御装置に連結される。
【０００４】
例えば、特許文献１で説明されているような「総括日付」表示機構が知られおり、これは、１の位の列０〜９を備える１の位のリングと、各々がほぼ９０°のセクタにわてって分布する、４つの数字０〜３の列を含む１０の位の円板とを含む。一日あたり１ステップの割合で駆動される、３１個のセクタを有する日付プログラムホイールは、２つの異なる平面上で、１０の位の円板及び１の位のリングにそれぞれ噛み合い、月の３１日から次の月の１日までの変化以外は、歯が無いセクタ（日付プログラムホイールの３１番目のセクタ）が後に続く３０個の歯によって、毎日１の位のディスクをそれぞれ駆動し、且つ１０の位の円板は、次の１０の位までの変化及び月の変化（９→１０、１９→２０、２９→３０、及び３１→０１）に対して、プログラムホイールの３１個のギアセクタの、９番目、１９番目、２９番目及び３１番目のセクタの上にそれぞれ配置された長歯によって、一月あたり４回だけ駆動され、且つ、これによって、１０の位のホイールと共に一体で回転する十字継手を駆動する。このタイプのカレンダー機構の１つの欠点は、極めて多数の部品を必要とすることであるが、これらの部品は、制御及び表示の機構に対して異なり、且つ、それ故に、プレート上であまりにも多くのスペースを占有する。更に、１０の位の円板に関連付けられた十字継手は、非常に少ない数の歯しか有しないが、このことは、各インデックス動作の間に要求される大きな角度ステップのために、ギア信頼性にとっては不利益である。
【０００５】
他のタイプの「総括日付」表示機構は、例えば特許文献２からも既知であるが、この特許は、修正された１０の位の円板と組み合わせた解決法を用いており、この１０の位の円板は、ある一定の日付に対して、時折２つの数字を含むことが可能である。修正された１０の位の円板がより多数の記号を帯同するという事実は、確かにギア機構を容易にするが、しかし、１の位に関する指示の列が、３１個のセクタを有するプログラムホイールと共に一体で回転する円板上に配置されるので、結果的に表示され得る文字の最大サイズは、依然として非常に制限されたままである。
【先行技術文献】
【特許文献】
【０００６】
【特許文献１】欧州特許第２４９００８３号
【特許文献２】欧州特許第１６０９０２８号
【発明の概要】
【発明が解決しようとする課題】
【０００７】
本発明の目的は、これら既知の制限から解放されたカレンダー表示機構を提供することである。
【０００８】
本発明の別の目的は、新しいタイプの総括日付カレンダー表示機構を提供することであり、これは、表示指示の独創的なシーケンスを用いて、少なくとも幾つかの日付に対して２つの円板を組み合わせることによる。
【課題を解決するための手段】
【０００９】
これらの目的は、特に、主請求項による総括日付カレンダー表示装置の特徴の結果として達成され、且つ、特に、第１の修正された１の位の表示円板は、第１列の最大で９個の第１の連続した１の位の数字を備える第１系列の指示を帯同し、第１系列の記号は、１０の位の完全な系列に関して、少なくとも第２の１の位の数字によって切り取られ、日付の少なくとも１０の位の表示に対する第２系列の記号を含む、第２の修正された１０の位の表示円板と組み合わせられ、１０の位の数字及び第２の１の位の数字で形成される２つの数字の少なくとも１つの組み合わせを備える。
【００１０】
本発明の特定の実施形態は、従属請求項で定義される。
【００１１】
本発明の１つの利点は、本発明が、１の位の指示の幾つかを、修正された１０の位の円板に移動させることによって、２つのホイールによって生じる指示のバランスを改善することである。好ましい実施形態によれば、各ホイールによって生じる表示指示の数は、正確に同じであり、このことは、文字のサイズが、組み合わされた表示に対して最良に調節され得ることを意味する。
【００１２】
提案された解決法の別の利点は、１の位の円板を採用していることであり、このことは、今まで使用されてきた、０から９までの完全な列の数字を使用する必要性を除去し、代わりに、修正された１０の位の円板によって生じる最小列の指示を増加させることによって、その結果として、１０の位の円板の各インデックス動作を容易にし、且つより信頼性のあるものにする。
【００１３】
好ましい実施形態によれば、２つの表示円板は、実質的に環状形状の要素を回転することにより形成され、即ち、これらの表示記号は、通常は一か月である１サイクルの間、３６０度にわたって伸長する完全な環状セグメントを覆う。２つの円板の指示が、同じ環状表面を覆うように配置され、且つ、少なくともいくつかの日付に対して、互いの上に重ねられる場合、表示は小さなスペースに制限され、且つ制御機構は、小型化を増進したために、有利にもリングの中心に統合されるかもしれない。
【００１４】
本発明の有利な履行例が、明細書において非限定的な例として与えられ、且つ添付された図において例示される。
【図面の簡単な説明】
【００１５】
【図１Ａ】図１Ａは、第１の、修正された１の位の円板である。
【図１Ｂ】図１Ｂは、第２の、修正された１０の位の円板である。
【図１Ｃ】図１Ｃは、本発明の好ましい実施形態による総括日付表示装置によって使用される、他の構成部品を例示する。
【図１Ｄ】図１Ｄは、本発明の好ましい実施形態による総括日付表示装置によって使用される、他の構成部品を例示する。
【図２Ａ】図２Ａは、図１Ｂの第２円板の上面図を例示し、この図は、異なるギア平面において作用する様々な歯部に加えて、相互に連結する様々な要素を示し、これらの要素は、本発明による総括日付表示装置の好ましい実施形態において、カレンダー機構を毎日駆動し、且つ日付を訂正するためのものである。
【図２Ｂ】図２Ｂは、図１Ｂの第２円板の下面図を例示し、この図は、異なるギア平面において作用する様々な歯部に加えて、相互に連結する様々な要素を示し、これらの要素は、本発明による総括日付表示装置の好ましい実施形態において、カレンダー機構を毎日駆動し、且つ日付を訂正するためのものである。
【図２Ｃ】図２Ｃは、図１Ａの第１円板の下面図を例示し、この図は、異なるギア平面において作用する様々な歯部に加えて、相互に連結する様々な要素を示し、これらの要素は、本発明による総括日付表示装置の好ましい実施形態において、カレンダー機構を毎日駆動し、且つ日付を訂正するためのものである。
【図２Ｄ】図２Ｄは、図１Ａの第１円板の上面図を例示し、この図は、異なるギア平面において作用する様々な歯部に加えて、相互に連結する様々な要素を示し、これらの要素は、本発明による総括日付表示装置の好ましい実施形態において、カレンダー機構を毎日駆動し、且つ日付を訂正するためのものである。
【図３Ａ】図３Ａは、本発明の総括日付表示装置の好ましい実施形態による、２４時間駆動ホイールを有する第１及び第２の円板の様々な歯部を連動させるための機構の三次元図を例示する。
【図３Ｂ】図３Ｂは、本発明の総括日付表示装置の好ましい実施形態による、ある月の３日から次の月の１日への変化の例に対する、これらの歯部の各々の、様々なギア平面の断面図を例示する。
【図４Ａ】図４Ａは、摺動ピニオンを有する第１及び第２の円板の様々な歯部を連動させるための機構の三次元図を例示する。
【図４Ｂ】図４Ｂは、本発明の総括日付表示装置の好ましい実施形態による、ある月の３１日から次の月の１日への変化の例に対する、これらの歯部の各々の、様々なギア平面の断面図を例示する。
【図５Ａ】図５Ａ、５Ｂ、５Ｃ、５Ｄ、５Ｅ、５Ｆの系列は、１の位が２と９の間で構成される日付に対する第１シーケンスの間の、好ましい実施形態による第１及び第２円板のインデックス機構を説明するための様々な図を例示する。図５Ａは、ある月の２日に対して、文字盤における開口部を通しての日付を例示する。
【図５Ｂ】図５Ｂは、ある月の２日に対して、上方から見た、第１及び第２の円板の相対的位置を例示する。
【図５Ｃ】図５Ｃは、ある月の２日に対して、下方から見た、第１及び第２の円板の相対的位置を例示する。
【図５Ｄ】図５Ｄは、上の図５Ａと同じ図であるが、しかしある月の３日への変化に従うものである。
【図５Ｅ】図５Ｅは、上の図５Ｂと同じ図であるが、しかしある月の３日への変化に従うものである。
【図５Ｆ】図５Ｆは、上の図５Ｃと同じ図であるが、しかしある月の３日への変化に従うものである。
【図６Ａ】図６Ａ、６Ｂ、６Ｃ、６Ｄ、６Ｅ、６Ｆ及び６Ｇの系列は、次の１０の位への日付の変化（９→１０、１９→２０、２９→３０）に対する第２シーケンスの間の、好ましい実施形態による第１及び第２の円板のインデックス機構を説明するための様々な図を例示する。図６Ａは、ある月の９日に対して、文字盤における開口部を通しての日付を例示する。
【図６Ｂ】図６Ｂは、ある月の９日に対して、上方から見た、第１及び第２の円板の相対的位置を例示する。
【図６Ｃ】図６Ｃは、ある月の９日に対して、下方から見た、第１及び第２の円板の相対的位置を例示する。
【図６Ｄ】図６Ｄは、上の図６Ａと同じ図であるが、しかしある月の１０日への変化に従うものである。
【図６Ｅ】図６Ｅは、上の図６Ｂと同じ図であるが、しかしある月の１０日への変化に従うものである。
【図６Ｆ】図６Ｆは、上の図６Ｃと同じ図であるが、しかしある月の１０日への変化に従うものである。
【図６Ｇ】図６Ｇは、第１円板を相互に回転駆動するために、第１円板のばね板を第２円板の柱と連動させることを示す詳細な図を例示する。
【図７Ａ】図７Ａ、７Ｂ、７Ｃ、７Ｄ、７Ｅ、７Ｆの系列は、１０の位がちょうどの日付から１で終わる次の日付のへの変化（１０→１１、２０→２１、３０→３１）に対する第３シーケンスの間の、好ましい実施形態による第１及び第２の円板のインデックス機構を説明するための様々な図を例示する。図７Ａは、ある月の１０日に対して、文字盤における開口部を通しての日付を例示する。
【図７Ｂ】図７Ｂは、ある月の１０日に対して、上方から見た、第１及び第２の円板の相対的位置を例示する。
【図７Ｃ】図７Ｃは、ある月の１０日に対して、下方から見た、第１及び第２の円板の相対的位置を例示する。
【図７Ｄ】図７Ｄは、上の図７Ａと同じ図であるが、しかしある月の１１日への変化に従うものである。
【図７Ｅ】図７Ｅは、上の図７Ｂと同じ図であるが、しかしある月の１１日への変化に従うものである。
【図７Ｆ】図７Ｆは、上の図７Ｃと同じ図であるが、しかしある月の１１日への変化に従うものである。
【図８Ａ】図８Ａ、８Ｂ、８Ｃ、８Ｄ、８Ｅ、８Ｆの系列は、１で終わる日付から２で終わる日付のへの変化（０１→０２、１１→１２、２１→２２）に対する第４シーケンスの間の、好ましい実施形態による第１及び第２の円板のインデックス機構を説明するための様々な図を例示する。図８Ａは、ある月の１１日に対して、文字盤における開口部を通しての日付を例示する。
【図８Ｂ】図８Ｂは、ある月の１１日に対して、上方から見た、第１及び第２の円板の相対的位置を例示する。
【図８Ｃ】図８Ｃは、ある月の１１日に対して、下方から見た、第１及び第２の円板の相対的位置を例示する。
【図８Ｄ】図８Ｄは、上の図８Ａと同じ図であるが、しかしある月の１２日への変化に従うものである。
【図８Ｅ】図８Ｅは、上の図８Ｂと同じ図であるが、しかしある月の１２日への変化に従うものである。
【図８Ｆ】図８Ｆは、上の図８Ｃと同じ図であるが、しかしある月の１２日への変化に従うものである。
【図９Ａ】最後に、図９Ａ、９Ｂ、９Ｃ、９Ｄ、９Ｅ、９Ｆ及び９Ｇの系列は、ある月の最後の（３１）日から次の月の１日への変化（３１→０１）に対する第５シーケンスの間の、好ましい実施形態による第１及び第２の円板のインデックス機構を説明するための様々な図を例示する。図９Ａは、ある月の３１日に対して、文字盤における開口部を通しての日付を例示する。
【図９Ｂ】図９Ｂは、ある月の３１日に対して、上方から見た、第１及び第２の円板の相対的位置を例示する。
【図９Ｃ】図９Ｃは、ある月の３１日に対して、下方から見た、第１及び第２の円板の相対的位置を例示する。
【図９Ｄ】図９Ｄは、上の図９Ａと同じ図であるが、しかし次の月の１日への変化に従うものである。
【図９Ｅ】図９Ｅは、上の図９Ｂと同じ図であるが、しかし次の月の１日への変化に従うものである。
【図９Ｆ】図９Ｆは、上の図９Ｃと同じ図であるが、しかし次の月の１日への変化に従うものである。
【発明を実施するための形態】
【００１６】
図１Ａ及び図１Ｂは、本発明の好ましい実施形態による総括日付表示に対して使用される２つの円板をそれぞれ例示する。
【００１７】
図１Ａの第１円板Ｍ１は、それぞれＳ１０、Ｓ１１、Ｓ１２、Ｓ１３、Ｓ１４、Ｓ１５、Ｓ１６、Ｓ１７、Ｓ１８及びＳ１９で参照され、第１円板Ｍ１の周縁部に規則正しく間隔を空けて配置される１０個の表示セグメントが、従来の方法で備えられた１の位の円板からなり、セグメントの各々は、０〜９の系列の数字の１つに対応するが、しかしこの中で、ある一定の数字、ここでは数字｛０，１｝が切り取られている。第１円板Ｍ１は、それ故に、第１系列の記号Ｉ１を帯同し、これは、第１スペース、第２スペース、これに続く第１列Ｕ１の１の位の数字ｕ１＝｛２，３，４，５，６，７，８，９｝から成る。第１系列の記号Ｉ１＝｛φ，φ，２〜９｝は、従って、８つの１の位の数字２〜９を含めて、１０個の表示記号を含み、且つ２つのスペースφは、第２列Ｕ２の、第２の１の位の数字ｕ２（ここでは数字０及び数字１）に対応し、これらの表示は、図１Ｂに見られるように、第２円板Ｍ２上に配置された第２系列の記号へ移動される。第１系列Ｉ１の全ての記号ｉ１は、第１凹部ｖ１によって互いに分離され、そのため、少なくとも幾つかの日付について、１０の位の数字ｄと組み合わせることによって表示が容易になるが、これらは、「第１日付」Ｑ１と呼ばれるであろう。
【００１８】
図１Ｂの第２円板Ｍ２は、修正された１０の位の円板であり、これは、従来の４つの１０の位の数字ｄ（０，１，２，３）の記号を帯同することに加えて、第１円板Ｍ１の切り取られた１の位、即ち、０及び１で終わる日付も表示することが可能である。この第２円板Ｍ２は、結果として、第１円板Ｍ１と組み合わせる必要無しに、０１、１０、１１、２０、２１、３０及び３１の日付を表示することが可能であり、且つ前掲のこれらの７つの日付値は、「第２日付」Ｑ２（即ち、第２円板Ｍ２によって完全に表示される日付値）と呼ばれる。これは、第１円板Ｍ１の記号を、第２円板Ｍ２の記号と組み合わせることによって表示される第１日付Ｑ１に対比される。
【００１９】
図１Ｂの第２円板Ｍ２はまた、Ｓ２０、Ｓ２１、Ｓ２２、Ｓ２３、Ｓ２４、Ｓ２５、Ｓ２６、Ｓ２７、Ｓ２８、及びＳ２９で参照され、第２円板Ｍ２の周縁部に規則的に間隔を空けて配置された表示セグメント、及び第２系列の記号Ｉ２＝｛０１，０Ｘ，１０，１１，１Ｘ，２０，２１，２Ｘ，３０及び３１｝（値「Ｘ」は、第２凹部Ｖ２又は任意の数値）が備えられる。ただし、これは、第１円板の第１系列Ｉ１の対応する記号が、第２円板の上に完全に重ねられるという条件、即ち、第２円板は、第１円板Ｍ１に等しい記号の数、及び表示セグメントの数（即ち、１０）備えるという条件が前提となっている。そのような配列は、重ねられたギアセクタを有する制御装置を挿入するのに特に有利であり、これにより、特に、２つの表示円板Ｍ１、Ｍ２の各々が実質的に環状形状である場合、かなりのスペース節約が可能になる。即ち、ここでは、１つの表示サイクルの間、全ての記号を走査することによって得られる幾何学的形状はリングに対応し、制御機構を挿入するための、リングの中心におけるスペースを解放する。第１表示円板Ｍ１及び第２表示円板Ｍ２は、そうでなければ、有利なことに、同心リングの形態に配列することが可能である。第１円板Ｍ１は、通常、図１Ｃの下方に例示された２４時間駆動ホイールＲのような、駆動ホイール及びピニオンと噛み合うように配列された第１の主歯部Ｄ１を備えており、第２円板Ｍ２と同様に、第１円板は、前記同じ駆動ホイールＲと噛み合うための、第２の主歯部Ｄ２を含む。
【００２０】
図１Ａは、切り取られた１の位に対応する、Ｓ１０〜Ｓ１１で参照される表示セグメントにおけるばね板Ｌ１の存在を示す。以下で見られるであろうが、この第１ばね板の機能は、ある一定の日付をインデックスする間に、第１円板Ｍ１を介して第２円板Ｍ２を駆動するための要素として作用することである。このインデックスは、とりわけ、図１Ｂに見られる、第２円板Ｍ２に一体化された第１の柱Ｔ１、第２の柱Ｔ２及び第３の柱Ｔ３とそれぞれ協力した結果として、１０の位を変化させることにあたる。理解されることであろうが、この第１のばね板Ｌ１の位置決めは、柱の相対的な角度位置に依存し、且つその位置決めは、前掲の角度セクタの中に必ずしも配列される必要は無い。例示された、好ましい実施形態の利点は、単に、駆動装置の第１円板Ｍ１の第１系列の記号Ｉ１の表示を、第２円板から分離することであり、これによって、明快さが増す。同様に、図１Ｂは、他のある一定の日付をインデックスする間に、第２円板Ｍ２を介して第１円板Ｍ１を駆動するために（その逆も成り立つ）設けられた第２のばね板Ｌ２の存在を示す。これは、第１円板Ｍ１の内側周囲上に設けられた切欠と協力する結果として、特に数「１」で終わる日付から、「２」で終わる日付への変化の場合、即ち、
・変化０１→０２のための第１の切欠Ｅ１、
・変化１１→１２のための第２の切欠Ｅ２、及び最後に、
・変化２１→２２のための第３の切欠Ｅ３、
にあたる。これら３つの切欠Ｅ１、Ｅ２、Ｅ３及び、第２ばね板Ｌ２に対するそれらの相対的位置は、図５から図９までの系列において見られるが、これらの図は、以下で詳細に説明される、本発明による表示装置を履行するための好ましい制御機構の、５つのインデックスシーケンス特性に関する。
【００２１】
図１Ａ及び図１Ｂを参照して分かるように、例示された好ましい実施形態は特に有利であるが、その理由は、第１及び第２の円板が、正確に同じ数の表示記号を使用しているためである。即ち、第１円板Ｍ１の第１系列の記号Ｉ１の第１記号ｉ１の数は、第２円板Ｍ２の第２系列の記号Ｉ２の第２記号ｉ２の数と同一であり、且つ両方が１０に等しい。２つの系列の記号はまた、同じ数の表示セグメントにわたって分布しており、このことは、各サイクルの間、どの記号も１回以上繰り返されないことを意味し、このために、各表示セグメントのサイズ及び、これにより、表示される数字のサイズを最大化することが可能である。それ故に、次の状況が存在する。その状況では、第１円板Ｍ１の第１表示セグメントの第１の数Ｎ１は、第２円板Ｍ２の第２表示セグメントの第２の数Ｎ２と等しく、このことが、ギア機構を容易にする。更に、各数のサイズ又は、各円板によって生じる各スペースもまた、最適なサイズを有することが可能である。注目される事実であろうが、１０の位の数字ｄの第１及び第２の凹部ｖ１、ｖ２のサイズ、及び第１及び第２の１の位の数字ｕ１、ｕ２のサイズは、角度セクタ上で占有されるサイズ及びスペースの両方の点で、全く同一であることが可能であり、このことによって、表示は特に均質であり、且つインデックスに対して信頼性がある。
【００２２】
それでもなお、次の記述において、表示円板をプログラムするための機構が、この有利な配列を用いて、詳細に説明されることになるが、本発明の範囲から外れることなく、１０の位の円板に対して、望み通りに多くの１の位の表示を移行させることが可能であり、修正された１の位の円板の、記号及び表示セグメントの数が、その場合、それに応じて増加されることは理解されるであろう。従って、仮に、第１の修正された１の位の円板の、第１系列の記号Ｉ１の１の位の数字０及び１を単に切り取る代わりに、第１円板Ｍ１の第２列Ｕ２の第２の数字｛０，１，２｝が切り取られたとすると、その場合には、第２系列の記号Ｉ２｛０１，０２，０Ｘ，１０，１１，１２，１Ｘ，２０，２１，２２，２Ｘ，３０，３１｝を帯同する第２の修正された１０の位の円板Ｍ２を使用することを想像できるであろう。第２系列の記号の数は、追加的に切り取られた１の位の各々に対して３倍に増加されるが（ここでは全部で１３）、これは、第１円板Ｍ１の第１セグメントの第１の数Ｎ１と、第２円板Ｍ２の第２セグメントの第２の数Ｎ２との間に対応する比率、即ち、もし第１セグメントの数Ｎ１が１０のままである場合、１０／１３によって、ギア機構の調節を必要とすることに気付く。切り取る１の位の数を１つだけに、即ち単一の１の位｛０｝に減らすこともまた可能であり、且つ、同様に、２つの円板Ｍ１、Ｍ２の間のギア比率を適宜調節することにより、第２系列の記号Ｉ２を、次の７つの記号｛０ｘ，１０，１ｘ，２０，２ｘ，３０，３ｘ｝に減らすことが可能である。
【００２３】
以下で説明される制御機構を用いた好ましい実施形態によれば、第１円板の第２の切り取られた１の位の数字ｕ２の、第２列の１の位Ｕ２は、それでもなお、常に数字「０」でスタートし、且つ、特に有利で正確なインデックスシーケンスに従うために、次に続く数字によって完了する。この点に関して注目するべきことであるが、記号「１」を、第１円板Ｍ１のＳ１１で参照される表示セグメントに追加することによって、第１の１の位の円板Ｍ１を修正することが可能であり、この場合、円板Ｍ２又は、１から３１までの月のサイクル上で日付をインデックスするための、提案されたプログラム機構を変化させることはない。更に、第１の１の位の円板Ｍ１を修正することも可能であるが、これは、第１の１の位ｕ１の値「２」を、Ｓ１２で参照される第１表示セグメントから除去することにより、且つ同時に、図１Ｂで見られ、且つ第２ばね板Ｌ２が存在しない場所における切欠によって具体化される第２凹部ｖ２の代わりに、２に等しい第２の１の位ｕ２を追加することで、それぞれＳ２２、Ｓ２５及びＳ２８で参照される表示セグメントの各々を修正することによる。
【００２４】
図１Ｃは、提案された好ましい実施形態による、２つの表示円板Ｍ１、Ｍ２の中心にある自由空間の内部に組み込まれるように意図された駆動機構の上面図である。移動の規準ピニオンＭ０が見られるが、これは、適切なギア比率により、２４時間駆動ホイールが毎日１回正確に完了するように、２４時間駆動ホイールＲを駆動する。この駆動ホイールはまた、日周のギアセクタＲｅを含み、ギアセクタＲｅには、好ましくは２つの異なるギア平面にある同一輪郭の２つの歯が配列され、即ち、第１の日周のギア歯Ｒｄ１及び第２の日周のギア歯Ｒｄ２（図３Ａ及び図３Ｂに見られる）が、それぞれ、第１円板Ｍ１の第１主歯部Ｄ１、及び第２円板Ｍ２の第２主歯部Ｄ２と噛み合うように意図される。一般に「摺動ピニオン」と呼ばれる補正ホイールセットＢは、互いから９０度の間隔で配置された一連の４つの補正歯（第１補正歯ｂ１、第２補正歯ｂ２、第３補正歯ｂ３及び第４補正歯ｂ４）を含み、この目的は、良好なギア安全性を提供すると共に、作動された場合、例えば竜頭によって、十分速く回転することである。摺動ピニオンのこれらの歯は、主歯部のギア平面とは異なるギア平面に位置する、第１円板Ｍ１の第１補助歯部Ｄ１’及び第２円板Ｍ２の第２補助歯部Ｄ２’によって、それぞれ駆動するように意図されているが、これは、図３Ａ、３Ｂ及び図４Ａ、４Ｂの対を参照しながら以下に例示される。摺動ピニオンＢは、２４時間駆動ホイールＲによって占有される空間以外に、第１円板Ｍ１及び第２円板Ｍ２の表示リングの中心にある自由空間の内部の任意の角度セクタの中に位置してもよい。このことは、残りの角度セクタに対応する９つの可能な位置の中での配列に、大きな柔軟性を残す。補助歯部は、従って、主歯部に対する単純な円順列によって得てもよい。摺動ピニオンＢと２４時間駆動ホイールＲが全く反対の位置にあることは、従って、特別な場合に対するものであるが、しかしこの構成は、本発明を遂行するのに不可欠ではない。
【００２５】
第１円板Ｍ１及び第２円板Ｍ２をインデックスされた位置に保持するために、それぞれ、第１ジャンパーＪ１及び第２ジャンパーＪ２が設けられ、これらは、以下の図３Ａに見られるように、重ねられているが、しかし互いから離れている。それらは、与えられた表示セグメント上に配列され、且つ各円板の歯部の２つの歯の間に挿入される。各ジャンパーの厚さは、好ましくは、各円板の主ギア平面及び補助ギア平面の上で伸長し、その結果、各円板をインデックスされた位置に保持することが可能である。即ち、第１円板Ｍ１及び第２円板Ｍ２は、２４時間駆動ホイールＲ及び摺動ピニオンＢに関して提案された構成において、互いに全く反対にあるが、その理由は以下の通りである。各円板のジャンパー（Ｍ１に対するＪ１、及びＭ２に対するＪ２）は、２つの連続した表示セグメントの間で、少なくとも前記円板の主ギア平面又は補助ギア平面の第１の歯の上で、及び前記円板の主ギア平面又は補助ギア平面の第２の歯の上で、常に当接して位置決めされるであろう。換言すれば、各円板の主歯部及び補助歯部は、２４時間駆動ホイールＲ及び摺動ピニオンＢのこの配列に関して、２つの連続して歯が無いギアセクタを同時に提示することは決してない。
【００２６】
図１Ｄは、上記で説明され、図１Ｃで例示された駆動要素のための保持板Ｐの好ましいバージョンである。摺動ピニオンＢの軸、規準ピニオンＭ０の軸、及び２４時間駆動ホイールＲの軸を指し示す矢印が点線で示される。この好ましい実施形態によれば、保持プレートＰは、１つの表示セグメントの幅にわたって実質的に伸長する固定ギアセクタＫを含む。この固定ギアセクタＫは、図６の系列で例示されるギアシーケンスの助けによって、以下で見られるように、好ましくは図１Ａに例示された第１ばね板Ｌ１と同じタイプの柔軟なばね板によって形成される連結要素を用いて、日付を次の１０の位に変更することを可能にする。
【００２７】
図２Ａ及び図２Ｂは、図１Ｂの第２円板Ｍ２の上面図及び下面図をそれぞれ例示するのに対して、図２Ｃ及び図２Ｄは、反対に、図１Ａの第１円板Ｍ１の下面図及び上面図を例示する。図２Ａは、記号１Ｘ及び２Ｘに対して明瞭に見られ、切欠によって具体化される第２凹部ｖ２に関して、第２列の記号Ｉ２｛０１，０Ｘ，１０，１１，１Ｘ，２０，２１，２Ｘ，３０，３１｝を再び示し、これに対して、最後の第２凹部ｖ２は記号０Ｘに位置し、記号０Ｘには、第１円板Ｍ１を駆動するための第２ばね板Ｌ２が配置される。これらの切欠は、第２ばね板Ｌ２の位置に加えて、図２Ｂに関する水平軸上での軸対称性によって、図２Ｂにおいて再び見られる。第２円板Ｍ２の同様な内側歯部が、図２Ａ及び図２Ｂで見られているが、現実には、これらの歯部は、異なる平面で異なるホイールと噛み合うように意図された、主歯部及び補助歯部に対応する。従って、図２Ａにおいて、示された歯部は、第２円板Ｍ２の第２補助歯部Ｄ２’に対応し、これは、第２補助平面Ｐ２’における摺動ピニオンＢと噛み合うが、これに対して、図２Ｂに示された歯部は、第２円板Ｍ２の第２主歯部Ｄ２に対応し、第２主平面Ｐ２において２４時間駆動ホイールＲと噛み合う。第２主歯部Ｄ２及び第２補助歯部Ｄ２’は、第２主平面Ｐ２及び第２補助平面Ｐ２’において、それぞれＡ２及びＡ２’で参照される系列の、歯が無いセクタを有する。これらの系列の歯が無いセクタは、第１円板Ｍ１をインデックスすることが可能となるように配列されるが、これは、第１列Ｕ１の１の位の数字ｕ１（即ち、ここでは２〜９）が、更にセクタの各々に面しながら通過するのを引き起こすことによる。該セクタ上では、組み合わせられる表示のために、第２凹部ｖ２が配列されるが、これに対して、第２円板Ｍ２は、決まった場所に留まる。これら２つの、それぞれＡ２及びＡ２’で参照される系列の各々は、３つの歯が無いセクタを含み、これらは、摺動ピニオンＢの位置に関する、２４時間駆動ホイールＲの配列の相対的な位置に従って、互いに対して円順列によって決定される。第２円板Ｍ２のギアセグメントの角度位置は、文字盤上の開口部の位置及び２４時間駆動ホイールＲの位置に従って定義され、その結果、第２円板のホイールの第２凹部ｖ２が開口部に表示される場合、歯が無いセクタの各々は、駆動ホイールと反対に位置する。説明され、且つ例示される好ましい実施形態によれば、様々なインデックスシーケンスを例示する図５から図９までの系列を参照することで注目されるであろうが、表示開口部は、文字盤上の９時の位置にあり、且つ２４時間駆動ホイール及び摺動ピニオンは、プレート上のほぼ５時及び１１時の位置にそれぞれに配列される。各ホイールの歯が無いセクタは、この構成を反映するために、図２Ａ及び図２Ｂに注釈が付けられており、この構成は、
・ａ２１で参照され、図１Ｂの表示セグメントＳ２９に配置された、表示記号「３０」の下の、第２円板Ｍ２の主ギア平面Ｐ２における第１の歯が無いセクタと、
・ａ２２で参照され、図１Ｂの表示セグメントＳ２２に配置された、表示記号「０Ｘ」の下の、第２円板Ｍ２の主ギア平面Ｐ２における第２の歯が無いセクタと、
・ａ２２で参照され、図１Ｂの表示セグメントＳ２５に配置された、表示記号「１Ｘ」の下の、第２円板Ｍ２の主ギア平面Ｐ２における第３の歯が無いセクタと、
を備える。同様に、第２円板Ｍ２の補助ギア平面における歯が無いセクタの系列は、
・ａ２１’で参照され、図１Ｂの表示セグメントＳ２４に配置された、表示記号「１１」の真下の、第２円板Ｍ２の補助ギア平面Ｐ２’における第１の歯が無いセクタと、
・ａ２２’で参照され、図１Ｂの表示セグメントＳ２７に配置された、表示記号「２１」の真下の、第２円板Ｍ２の補助ギア平面Ｐ２’における第２の歯が無いセクタと、最後に、
・ａ２３’で参照され、図１Ｂの表示セグメントＳ２０に配置された、表示記号「３１」の真下の、第２円板Ｍ２の補助ギア平面Ｐ２’における第３の歯が無いセクタと、
を含む。
【００２８】
明確にする理由のために参照されていないが、これら２つの系列の歯が無いセクタＡ２及びＡ２’は、更に図１Ｂで見られる。この場合、第２円板Ｍ２の、第２主歯部Ｄ２及び第２補助歯部Ｄ２’の歯が無いセクタに面する、それぞれ小さな円弧及び大きな円弧の助けによって見られる。
【００２９】
全ての主ギア平面及び補助ギア平面Ｐ１、Ｐ２、Ｐ１’、Ｐ２’は、図３Ｂ及び図４Ｂにおいて以下に例示される。図２Ａで更に見られるのは、ある月の９日から１０日への変化のための、第１の１０の位の第１駆動柱Ｔ１、ある月の１９日から２０日への変化のための、第２の１０の位の第２駆動柱Ｔ２、及び最後に、ある月の２９日から３０日への変化のための第３駆動柱Ｔ３である。駆動柱の角度位置は、固定ギアセクタＫ及び第１ばね板Ｌ１の、開口部の相対的位置に依存するが、固定ギアセクタは、回転において第２円板Ｍ２を駆動するために、第１ばね板Ｌ１に作用する。提案された構成は、従って、ギアセクタがほぼ１１時に位置決めされる構成で、且つ第１ばね板が、文字盤上で９時に配列された表示開口部に対して、切り取られた１の位｛０，１｝の表示セグメントに対応する表示セグメント上に配列される構成に対応する。しかしながら、前述のことから理解されるであろうが、本発明の範囲から外れることなく、他の配列も可能である。
【００３０】
図２Ｃ及び図２Ｄは、第１の１の位の円板Ｍ１の下面図及び上面図をそれぞれ示す。これらの図では、第１列Ｕ１の、１の位の第１の数字ｕ１（２〜９）に加えて、上で説明された柱Ｔ１、Ｔ２、Ｔ３の助けによって、第２円板Ｍ２を駆動するための第１ばね板Ｌ１が見られる。柱Ｔ１、Ｔ２、Ｔ３は、第２円板と一体化しており、且つ上記の図２Ａ及び図２Ｂにおけるのと同じ原理に従って、主歯部及び補助歯部は、日周のギアのための２４時間駆動ホイールＲと、及び、要求に応じて、日付の手動補正のための摺動ピニオンＢと、異なる平面において噛み合うことが意図されている。図２Ｄでは、第１主歯部Ｄ１は、１０個の均等に分布する表示セグメントと共に図１Ａで示された歯部と同一であり、主平面Ｐ１において２４時間駆動ホイールＲと噛み合うように意図される。このギア平面では、他の９つの歯が無いセクタとは対照的に黒で示され、ａ１で参照される歯が無いセクタが見られるが、このセクタは、第１円板Ｍ１を静止状態にしている間に、第２円板をインデックスすることが可能となるように意図される。説明された、好ましい実施形態によれば、このタイプのインデックスの仕方は、一月目の３１日から次の月の１番目の日への変化にとって必須のものである。同様に、図２Ｃでは、第１の補助歯部Ｄ１’は、第１の補助平面Ｐ１において摺動ピニオンＢと噛み合うように意図され、且つ、対応する歯が無いセクタａ１’が存在するが、これもまた、他の９つの歯が無いセクタとは対照的に黒で示される。
【００３１】
図２Ａ、２Ｂ、２Ｃ、２Ｄの系列を参照すると、注目されることであろうが、同じ円板に対して異なるギア平面の各々に対応する、歯が無いセクタの位置は、縦軸に関する軸対称性によって推測することが可能である。その理由は、上面図及び下面図は、水平軸について対称であり、且つ２つの駆動ホイールセットの配列、即ち、駆動ホイールＲ及び摺動ピニオンＢは、移動プレートの中心に関して対称的に配列されるからである。軸対称性及び中心対称性の構成は、実際には、前述の軸に直交する軸についての軸対称性から成る。
【００３２】
図２Ｃはまた、第１円板と第２円板との間の相互連結を可能にするための最後の駆動要素を示す。この要素は、即ち、切欠Ｅ１、Ｅ２及びＥ３であり、これらは、第２円板Ｍ２を介して第１円板Ｍ１を駆動するために、第２ばね板Ｌ２と協力するように意図される。第１円板Ｍ１は、その内側周囲上に３つの切欠を含むが、これらは、説明される好ましい実施形態によって、「１」で終わる日付から「２」で終わる日付に駆動するために配列される。より具体的には、第１切欠Ｅ１、第２切欠Ｅ２及び第３切欠Ｅ３は、１０個の均等に分布したセグメントのサイクルにわたって分布し、第１切欠Ｅ１及び第２切欠Ｅ２は、３つのセグメントによって分離され、第２切欠Ｅ２及び第３切欠Ｅ３もまた、３つのセグメントによって分離され、且つ、結果として、第３切欠Ｅ３及び第１切欠Ｅ１は、４つのセグメントによって分離される。この系列の切欠の位置決めは、第２円板Ｍ２上の第２ばね板Ｌ２の位置決めに、及び、更に文字盤上の表示開口部の位置決めに依存する。説明される、好ましい実施形態によれば、第２ばね板Ｌ２が、記号「０Ｘ」に対応して、図１Ｂの図の表示セグメントＳ２２上に位置決めされるところでは、第１切欠Ｅ１は、月の１日から２日への変化の間、第１円板Ｍ１を駆動するように構成されなければならず、その結果、第２ばね板Ｌ２は、その後、１１日から１２日の日付の変化に対して、第２切欠Ｅ２と協力し、そして最後に、２１日から２２日への日付の変化に対して、第３切欠Ｅ３と協力する。従って、ある月の３１日から次の月の１日への変化の間、第２ばね板Ｌ２は、第１切欠Ｅ１に関して、一セグメントだけずれるであろう。そして、この構成では、第１円板において歯が無いために（ａ１で参照される歯が無いセクタ）、上記の「１」で終わる他の日付とは違って、月の３１日サイクルを完了するために、第１円板Ｍ１は、第２円板によって駆動されないであろう。このギア機構は、図８及び図９の次の系列の図解を参照することによって説明されるが、これらの図は、１で終わる日付（１日、１１日、２１日）から２で終わる次の日付（２日、１２日、２２日）への変化に対する第４インデックスシーケンス、及び３１日から１日への変化の特別な場合に対応する第５ギアシーケンスを、それぞれ詳細に説明する。
【００３３】
図３Ａ及び図３Ｂは、第１円板及び第２円板の様々な歯部の、２４時間駆動ホイールとのギア機構の三次元図をそれぞれ例示し、そして特に、第１主歯部Ｄ１は、第１主ギア平面Ｐ１において噛み合い、且つ第２主歯部Ｄ２は、第２主ギア平面において噛み合う。図３Ｂの断面図は、全てのギア平面の特別な配列を示し、これは、第１円板に対してＰ１’で、そして第２円板に対してＰ２’でそれぞれ参照される、各円板の補助ギア平面を含み、駆動歯部の各々は、ある月の日から次の月の１日への変化に対するものである。ここで説明される、本発明の総括日付表示装置の好ましい実施形態によれば、第１円板の第１主歯部Ｄ１は、歯が無いセクタａ１を有するように意図され、これに対して、第２円板の主歯部Ｄ２は歯を有する。その結果として、駆動ホイールＲの第２ギア歯Ｒｄ２が、第２主平面Ｐ２において、第２円板の歯部Ｄ２の歯と噛み合う間、第１主平面Ｐ１における駆動ホイールＲの第１ギア歯Ｒｄ１は、第１円板Ｍ１を駆動しない。図３Ａでは、第１補助歯部Ｄ１’もまた、このギアセクタにおいて歯を持たないことが分かるが、これにより、異なるギア平面を明瞭に分離することが可能になる。このことは、次の順番で上から下へ互いに続く。即ち、図３Ｂにおいて、Ｐ１、Ｐ１’、Ｐ２”、Ｐ２が明瞭に見られる。注目するべきことであるが、しかしながら、同じ図３Ａにおいて、上方に位置する隣接ギアセクタは、第１円板Ｍ１の深さ全体にわたって、及び第２円板Ｍ２の深さ全体にわたって、それぞれ伸長する歯と同種の歯部Ｄ１、Ｄ１’及びＤ２、Ｄ２’を有する。保持ジャンパーの各々は、それぞれ、第１円板のための第１ジャンパーＪ１及び第２円板のための第２ジャンパーＪ２を、この深さ以上に伸長することが可能である。第１円板及び第２円板（Ｍ１、Ｍ２）のための環状形部品の内側周囲に完全に重ねられる、表示セグメント及びギア歯部を有する円板のこの配列は、結果として、スペースを節約するだけでなく、日付表示をプログラムするための機構を履行することもかなり簡略化する。
【００３４】
同様に、図４Ａ及び図４Ｂは、第１円板及び第２円板の様々な歯部を摺動ピニオンと連動させるための機構の三次元図、及び特にある月の３１日から次の月の１日への変化の同じ例に対する補助歯部の三次元図を例示する。上記で説明したように、摺動ピニオンは、各円板の第１及び第２の主ギア平面Ｐ１、Ｐ２において噛み合わないが、しかし、第１及び第２の補助ギア平面Ｐ１’、Ｐ２’（これらは並置され、且つ第１主ギア平面Ｐ１と第２主ギア平面Ｐ２との間にそれぞれ挟まれる）においては、摺動ピニオンが、２つの円板の駆動歯部を結合させる一定の深さで配列されることが可能であり、これにより、駆動ホイールに対するのと同じ輪郭を有する２つの異なる平面において、２つの異なる歯部を機械加工する必要性を回避するが、このことは、生産コストを削減する。プレート上の摺動ピニオンＢの位置がどうであれ、摺動ピニオンは、その４つの歯ｂ１〜ｂ４（図４Ａでは、摺動ピニオンＢが作動する場合、それは第２の歯Ｂ２であろう）の１つによって、ある歯の輪郭と噛み合うことが保証されなければならない。ここである歯の輪郭とは、補助ギア歯部上では、２４時間駆動ホイールＲが同時に主歯部上で噛み合う歯と同一である。従って、図４Ｂにおいて注目するべきことであるが、第１補助ギア平面Ｐ１’において、第１補助歯部Ｄ１’上に、１つの歯が無いセクタ（ａ１’で参照される）が存在しなければならない。その理由は、第１主ギア平面Ｐ１において、第１主歯部Ｄ１上に、ａ１で参照される歯が無いセクタが存在したからである（図３Ｂ参照）。同様に、第２補助ギア平面Ｐ２’におけるこのギアセクタに対して、第２補助歯部Ｄ２’上に歯が存在するであろう。その理由は、第２主ギア平面Ｐ２において、第２主歯部Ｄ２上に歯が存在したからである（比較のため、図３Ｂ及び図４Ｂを参照）。
【００３５】
上記の例から理解されることであろうが、図９の系列を参照しながら以下で説明される第５ギアシーケンスに対応して、上記の図２の系列に関連して、第１及び第２の円板Ｍ１、Ｍ２の各々は、第１及び第２の日周の主ギア歯部Ｄ１、Ｄ２をそれぞれ有するが、これらの主ギア歯部Ｄ１、Ｄ２は、歯が存在するか否かの作用として、日付に応じて２４時間駆動ホイールＲと選択的に噛み合う。駆動ホイールＲは、従って、第１円板Ｍ１を駆動するための第１連鎖の開始点、及び更に第２円板Ｍ２を駆動するための第２連鎖の開始点を形成する。様々な歯部は、従って、それらそれぞれの駆動動作の各々に対して、プログラム機構を形成する。
【００３６】
各円板に対する異なる連鎖を介したこの駆動機構は、その後、本発明の範囲内で、ある一定の日付についての、第１円板と第２円板との間の相互的な双方向性機構によって完了される。
【００３７】
第１円板Ｍ１を第２円板Ｍ２に連結するための機構は、従って、説明される好ましい実施形態に従って形成されるが、これは、３１日の月サイクルの間、第１ばね板Ｌ１を３回用いて、柱（それぞれ、第１、第２及び第３の柱Ｔ１、Ｔ２、Ｔ３）を駆動することによる。第１ばね板Ｌ１は、第１円板Ｍ１と一体化されており、第１円板Ｍ１は、１０個の表示セグメントを備え、且つ、結果として、最大で１０個のインデックス位置の、より限られたサイクルを有する。ばね板Ｌ１の連結位置は、プレート上に配列された固定ギアセクタＫによって決定されるが、固定ギアセクタＫは、１つの表示セグメントの少なくとも幅にわたって伸長し、且つ次の１０の位への変化のために、第２円板を駆動することを、少なくとも可能としなければならない。ここで次の位への変化とは、即ち、ある月の９日から１０日への変化、ある月の１９日から２０日への変化、及びある月の２９日から３０日への変化である。
【００３８】
第２円板Ｍ２を第１円板Ｍ１に連結するための機構は、説明される好ましい実施形態によれば、第２ばね板Ｌ２を用いて、位置決めされた切欠（それぞれ第１、第２及び第３の切欠Ｅ１、Ｅ２、Ｅ３）を駆動することにある。ここで第２ばね板は、第２円板Ｍ２と一体化されており、且つ第１円板Ｍ１の内側周囲に向けて傾けて配列される。説明される好ましい実施形態によれば、定義された方法（１０個の等距離の角度セグメントにわたる３／３／４のサイクル）で間隔を空けて配置された３つの切欠の存在は必要であり、これが、１日から２日への計測、次に１１日から１２日への計測、そして最後に２１日から２２日への計測を可能にし、且つ、その後、この日付が１の位の数字「１」で終わるにしても、月の最後の日（３１日）で駆動を停止させることを可能にする。
【００３９】
続く図５から図９の系列において、図１Ａ及び図１Ｂで例示された第１円板Ｍ１及び第２円板Ｍ２を用いた、好ましい実施形態における５つの重要なインデックスシーケンス、及び、これらの円板の各々に対する１０セグメントのプログラム機構が説明されるであろう。図のこれらの系列は、２つの円板の、互いに関する相対的角度位置、及び相互連結要素の位置を示すように意図されており、相互連結要素の位置とは、即ち、柱Ｔ１、Ｔ２、Ｔ３の各々に対する第１ばね板Ｌ１の位置、及び切欠Ｅ１、Ｅ２、Ｅ３の各々に対する第２ばね板Ｌ２の位置である。読者の理解を容易にするために、第１円板Ｍ１の記号は実線文字で示されるが、これは、第１円板の文字を第２円板Ｍ２の文字と区別し、且つ表示が第１日付Ｑ１であるか又は第２日付Ｑ２であるかを直感的に見ることを可能にするためである。
【００４０】
図５Ａ、６Ａ、７Ａ、８Ａ及び９Ａの各々、及び図５Ｄ、６Ｄ、７Ｄ、８Ｄ及び９Ｄのそれぞれは、文字盤Ｃの中に作られた開口部を通して表示された現在の日付を示している。そしてこの日付は、ここでは、１０の位の数字ｄの表示のための第１窓Ｆ１、及び１の位の数字の表示のための第２窓Ｆ２によって、それぞれインデックスステップの前と後に形成される。開口部を通して表示される日付は、第１日付Ｑ１（第１数字ｕ１が、第１円板Ｍ１によって生じる記号を用いて表示される場合）、又は第２日付Ｑ２（１の位の数字は、第１円板Ｍ１から切り取られた第２の１の位の数字ｕ２、即ちここでは「０」又は「１」であり、且つ、それ故に、第２円板Ｍ２によって生じる）のいずれかに対応する。
【００４１】
図５の系列、即ち図５Ａ、５Ｂ、５Ｃ、５Ｄ、５Ｅ及び５Ｆは、ある日付に対する第１のインデックスシーケンスを例示し、これらの日付の１の位は、２と９との間で構成され、即ち、２〜３、３〜４、４〜５、５〜６、６〜７、７〜８及び８〜９の変化に対する合計７つのインデックスステップにあたる。このインデックスシーケンスは、１つの月サイクルにおいて３回繰り返され、ここで１の位の数字「ｄ」は、０、又は１、若しくは２のいずれかに等しくてもよい。図５Ａは、インデックス前の、文字盤Ｃの中の開口部を通して表示される日付「０２」を例示している。そして図５Ａ及び図５Ｂは、第１及び第２の円板Ｍ１、Ｍ２の相対的位置を、それぞれ上面図および下面図において示している。この位置において、２４時間駆動ホイールＲは、第２円板の第２歯部Ｄ２の第１の歯が無いセクタａ２１に面し（図５Ｂに見られる）、２４時間駆動ホイールは、従って、回転駆動されないが、これに対して、第１円板Ｍ１の第１歯部Ｄ１は、２から８までの日付の各々に対して、駆動ホイールＲによって駆動されるべき１つの歯を有する。このシーケンスの間に表示される全ての日付は、第１日付Ｑ１であり、この日付に対しては、第１の１の位の数字ｕ１は、第２表示窓Ｆ２の中に見られる。
【００４２】
図５Ｂでは、第２ばね板Ｌ２が開口部に、そしてより具体的には第２表示窓に位置するのが見られ、且つ、図５Ｃでは、第２ばね板Ｌ２が、第１切欠Ｅ１と係合しているのが見られる。この第１シーケンスのインデックスの間に、第１円板Ｍ１は、図５Ｂ及び図５Ｃで見られる矢印によって示される回転方向に回転し、且つ、第２ばね板Ｌ２の方位及び切欠（即ち、第１切欠Ｅ１、第２切欠Ｅ２、及び第３切欠Ｅ３）の各々の方位は、第１円板Ｍ１が、この第２弾性ばね板Ｌ２上で摺動することを可能にする。図５Ｅ及び図５Ｆにおいて観察できるように、図５Ｅ及び図５Ｆは、ある月の３日へ変化した後の、図５Ｂ及び図５Ｃと同じ図を示す。第２ばね板Ｌ２は、同じ位置に留まったが、これに対して、第１円板Ｍ１は、１つの表示セグメントだけ移行してしまい、その結果、第２ばね板Ｌ２は、もはや切欠のいずれとも係合しない。２４時間駆動ホイールＲは、依然として、第２円板の第２歯部Ｄ２の、第１の歯が無いセクタａ２１に面している。第１インデックスシーケンスの終わりでは、即ち、ある月の９日に対して、第２ばね板Ｌ２は、第１切欠Ｅ１ともはや係合しないであろう。しかし第１サイクルの終わりでは、第３切欠と係合するであろう。そして理解されるであろうが、第１及び第２の円板Ｍ１、Ｍ２の相対的位置は、ある月の１２日に対する、第２ばね板Ｌ２の第２切欠Ｅ２との係合から、ある月の１９日に対する、第３切欠Ｅ３との係合へ変化し、且つ、ある月の２２日に対する、第３切欠Ｅ３との係合から、ある月の２９日に対する、（図５Ｆにおけるように）第１切欠に関して１つの表示セグメントだけ移行した位置へ変化するであろう。これにより、ある月の３１日から次の月の１番目の日への第５シーケンスの最後のインデックスが可能になるが、これについては、図９の系列を参照しながら以下で説明される。
【００４３】
この第１インデックスシーケンスの間、プレートＰの固定ギアセクタＫは使用されていなかったが、固定ギアセクタＫは、図６Ａ〜図６Ｇに例示された第２インデックスシーケンスに対して、第１円板Ｍ１と一体化された第１ばね板Ｌ１と一緒に使用されるであろう。
【００４４】
図６Ａ及び図６Ｄは、第１日付Ｑ１（ここでは０９）から第２日付Ｑ２（ここでは１０）への変化を例示する。実際には、もし第１の１０の位の数字ｄが、第２円板Ｍ２を介して依然として表示される場合、第１の１の位の数字ｕ１「９」が第１円板Ｍ１によって表示されるが、これに対して、第２円板Ｍ２によっても表示される、第２の１の位の数字ｕ２「０」への変化が存在する。
【００４５】
この第２インデックスシーケンスの間、２つの円板は一緒に回転するが、これは、第１円板Ｍ１が第２円板Ｍ２を駆動するからである。図６Ｇの詳細で見ることができるように、第１ばね板Ｌ１は、保持プレートＰの固定ギアセクタＫによって外側に押されて能動的位置、即ち図６Ｇで「ＰＥ」で参照される駆動位置に入り、その結果、第１ばね板ｌ１は、第１の１０の位への変化のために、第１の柱Ｔを駆動する。同じギアセクタＫを用いた、１０の位の各々の変化に対しては、同様な連結機構が存在することは理解されるであろう。しかし、ギアセクタＫは、ある月の１９日から２０日への変化のためには、第２の柱Ｔ２へ向けて、且つある月の２９日から３０日への変化のためには、第３の柱Ｔ３へ向けて、それぞれ第１ばね板Ｌ１を押すであろう。
【００４６】
図６Ｂで見ることができるように、第２ばね板Ｌ２は、依然として開口部に面した状態に位置決めされるが、これに対して、第１円板Ｍ１の第１系列の記号Ｉ１の最後の１の位「９」は、今は第２の窓Ｆ２に面している。上記で説明されたが、図６Ｃで観察することができたように、この第２ばね板Ｌ２は、今は第２切欠Ｅ２に位置決めされている。第２円板Ｍ２の、ａ２１で参照される第１の歯が無いセクタは、依然として２４時間ホイールＲに面しており、且つ、それ故に、第２円板Ｍ２を回転駆動しておらず、これに対して、第１円板Ｍ１は、第１ギア歯部Ｄ１（読みやすくするために、この図では参照されていない）上の歯を介して駆動されるが、この第１の歯が無いセクタに打ち勝つために、第１ばね板Ｌ１によって駆動される第１の柱Ｔ１を介して、第１円板Ｍ１によって第２円板Ｍ２を連結するための機構は、第２円板Ｍ２及び共同して回転する第１円板Ｍ１を、１つの表示セグメントだけ、図６Ｂ及び６Ｃに示された回転方向に駆動することが可能である。実際には、図６Ｅ及び６Ｆで観察できることであるが、第２ばね板Ｌ２は、依然として第２切欠Ｅ２に面しているが、しかし第２ばね板Ｌ２は、１つの表示セグメントだけ（上面図である図６Ｅでは下方に、且つ下面図である図６Ｆでは上方に）移行される。
【００４７】
図７Ａから図７Ｆまでの系列によって例示される第３シーケンスは、第２日付Ｑ２から別の日付への変化を示すが、その理由は、これは、「０」で終わる日付から「１」で終わる日付への変化であり、且つこれら２つの数字の各々は、第１系列の記号Ｉ１から切り取られた第２の数字ｕ２であるからである。ここで説明される好ましい実施形態によれば、第１及び第２の円板Ｍ１及びＭ２を駆動するモードは非常に単純であるが、その理由は、第１円板Ｍ１の第１主歯部Ｄ１及び第２円板Ｍ２の第２主歯部Ｄ２は各々が、駆動ホイールと噛み合う歯を含み、その結果、いかなる連結機構も必要でないからである。理解されることであろうが、しかしながら、代替的実施形態によれば、固定ギアセクタＫは、拡大されることも可能であり、そうすることで、第１の柱Ｔ１を依然として駆動するために、第１ばね板Ｌ１はこの位置で依然として外側に押され、その結果、第１の柱を駆動するために、第２円板Ｍ２の第２主歯部Ｄ２上で、いかなる歯も必要ではないが、その理由は、第１の柱が、この場合、第１円板Ｍ１に連結することによって駆動されるからである。更に、第２ばね板Ｌ２が、この位置で第２切欠Ｅ２に依然として位置決めされるとすれば、第１主歯部Ｄ１上のこの場所から、１つの歯が除去されることも可能であり、且つ第１円板Ｍ１は、その場合、第２円板Ｍ２によって駆動され得るであろう。同様な理由付けが、日付２０〜２１の変化に対して適用され、そこでは第１ばね板Ｌ１は、依然として第２の柱Ｔ２を駆動することが可能であろう。又は、代わりに、第２ばね板Ｌ２が、第３切欠Ｅ３によって、第１円板Ｍ１を依然として駆動することも可能であろう。日付３０〜３１の変化に対しては、第３の柱Ｔ３を依然として駆動し得るのは第１ばね板Ｌ１であろう。しかしながら、第２ばね板Ｌ２については、第１円板Ｍ１を駆動するための、いかなる代替も可能でないであろう。その理由は、ばね板は、以下で説明される図９Ａ〜図９Ｆの系列によって例示される第５シーケンスとして、第１切欠Ｅ１に関して１つの表示セグメントだけ移行されることになるからである。それぞれ上面図及び下面図を示す図７Ｂ及び図７Ｃは、第１及び第２の円板Ｍ１、Ｍ２の相対的位置を例示するが、この相対的位置は、インデックスする間に、同時に回転する両方の円板の回転方向に関するものである。これらの代替的実施形態（図示せず）に対しては、第１及び第２の補助歯部Ｄ１’及びＤ２’が、修正された第１及び第２の主歯部Ｄ１及びＤ２の輪郭に従って調節されることは理解されるであろう。図７Ａ及び図７Ｄは、２つの円板Ｍ１、Ｍ２の各々の追加表示セグメントのインデックスされた位置を、依然として第２切欠と係合している第２ばね板Ｌ２と共に示し、しかし今は、第１表示窓Ｆ１及び第２表示窓Ｆ２によって形成される開口部の下の２つの表示セグメントと共に示す。月の２０日から２１日への変化に対して、第１円板Ｍ１の角度位置は変化しないままであろう。しかし、第２円板Ｍ２の第２ばね板は、あたかも図７Ｆで第２ばね板Ｌ２だけが移動されて第３切欠Ｅ３に配置されていたように、文字盤上のほぼ３時に、且つ第３切欠Ｅ３に位置決めされるであろう。３０日から３１日への変化に対しては、第１円板Ｍ１の位置は、インデックスする前の図７Ｂ／７Ｃの位置、及びインデックスした後の図７Ｅ／７Ｆの位置と同一であろう。そして、第２円板Ｍ２の位置は、第２円板が、図９Ｂ及び図９Ｃで占有した位置と同一であろう。
【００４８】
図８Ａ〜図８Ｆに例示された第４インデックスシーケンスは、１の位が「１」で終わる日付から、１の位が「２」で終わる日付へインデックスすることに対応する。換言すれば、図８Ａで見られる日付「１１」のような、第２円板Ｍ２だけによって表示される第２日付Ｑ２から、図８Ｄで見られる日付「１２」のような、第１円板Ｍ１との組み合わせで表示される第１日付Ｑ１への変化が存在する。これらの日付に対して、第１円板Ｍ１は、第１歯部Ｄ１が、図８Ｂで参照される、歯が無いセクタａ１を有するように位置決めされる。この目的は、第２円板Ｍ２が、月の最後に（これも「１」で終わる日付「３１」に対して）、第１円板Ｍ１を伴わずに駆動されることを可能にするためであるが、このことは、以下の図９Ａ〜図９Ｆによって例示される第５シーケンスの主題であり、且つ第５シーケンスは、それ故に、以下で説明される第４シーケンスの特別な場合を構成する。
【００４９】
ある月の１１日に対しては、第２円板Ｍ２の第２ばね板Ｌ２が、第１円板の切欠Ｅ２に係合し、その結果、第１円板Ｍ１の第１主歯部Ｄ１上に歯が存在しない場合でさえも、第１円板Ｍ１は、第２円板Ｍ２によって回転駆動され、図８Ｂ及び図８Ｃにおける矢印で示された回転方向に、追加表示セグメントを通って、２４時間駆動ホイールＲによって駆動される。２つの円板の相対的位置は、図８Ｂ／Ｃと図８Ｅ／Ｆとの間で、結果として変化しないままであるが、その理由は、第１列Ｕ１の第１の数字ｕ１の、第１の１の位の数字「２」が、開口部の第２窓Ｆ２に表示されるように、円板の各々が回転したからである。これに対して、第２ばね板Ｌ２は、文字盤上の実質的に６時にある、第１円板Ｍ１の第１記号の最後の数字９の表示セグメント上に重ねられる。このシーケンスは、他の全ての先に起こるインデックスシーケンスのように、各月に３回、繰り返される。図８Ａ〜図８Ｆの系列の図解に関して、ある月の１日から２日へのインデックスに対して変化する全てのことは、第２切欠Ｅ２の代わりに第１切欠Ｅ１と係合する第２ばね板Ｌ２の位置である。第２ばね板Ｌ２の位置は、文字盤上のほぼ１０時の角度位置から、文字盤上のほぼ９時の角度位置へ変化し、上で説明された第１インデックスシーケンスの図５Ａ／５Ｂにおけるように、インデックスの最後で開口部に面し、そしてカレンダー機構は、その後、このシーケンスに戻る。ある月の２１日から２２日へインデックスするために、第２ばね板Ｌ２は第３切欠Ｅ３と係合し、且つ第２ばね板Ｌ２の角度位置は、文字盤上の実質的に３時の位置から、文字盤上の２時の位置へ変化するであろう。
【００５０】
この第４インデックスシーケンスに対するこれら３つの可能なインデックスステップの各々の最後において、駆動ホイールＲが、１つの表示セグメント（この表示セグメントでは、第１円板Ｍ１の第１主歯部Ｄ１は、第１の歯が無いセクタａ１を備える）から、次の表示セグメント（このセグメントでは、第２の歯部は、歯が無いセクタを備える）へ変化することは注目されるであろう。ここで歯が無いセクタは、即ち、ある月の２日に対しては、ａ２１で参照される第１の歯が無いセクタ（図５Ｂ参照）、ある月の１２日に対しては、図８Ｅにおけるａ２２で参照される第２の歯が無いセクタ、そして最後に、ある月の２２日に対しては、ａ２３で参照される第３の歯が無いセクタ、である。
【００５１】
図９Ａ〜図９Ｆの系列は、第５及び最後のインデックスシーケンスに関連し、このシーケンスは、前に説明された４つのインデックスシーケンスとは違って、月に１回だけ実行される。これに対して、他の４つは、それぞれ３回実行される。第４インデックスシーケンスに関連する図８Ａ〜図８Ｆに関して上で説明されたように、第５インデックスシーケンスは、第４インデックスシーケンスの特別な場合であり、そこでは第２円板Ｍ２は、第２主歯部Ｄ２の１つの歯によってのみ駆動される。これに対して、第１主歯部Ｄ１上に歯が無いこと（図９Ｂにおいてａ１で参照される歯が無いセクタ）、及び第１表示円板と第２表示円板との間で連結機構が無いことは、第２円板Ｍ２は、単独で、第１円板Ｍ１を伴わずに回転することを意味する。
【００５２】
ある月の３１日から次の月の１日へインデックスする前と後の記号をそれぞれ示す、図９Ａと図９Ｄを比較することによって観察できるように、このシーケンスは、第２円板Ｍ２によって完全に表示される第２日付Ｑ２から、第２円板Ｍ２によって依然として表示される別の第２日付Ｑ２へ変化する。図９Ｂ及び図９Ｃにおいて見られる、第１円板Ｍ１の角度位置は、インデックスの間に変化せず、且つこの角度位置は、図９Ｅ及び図９Ｆにおいて再び見つけられる。結果として、ａ１で参照される同じ歯が無いセクタは、図９Ｅにおいて再び見られる。図９Ｃにおいて観察できるように、このことは、第２円板Ｍ２に対する第１円板Ｍ１の相対的角度位置が、第２ばね板Ｌ２が第１切欠Ｅ１に係合しないようなものであり、その結果、相互連結によるいかなる駆動も不可能であるという事実による。いったん第２円板Ｍ２が回転したとすると、第２ばね板Ｌ２は、第１切欠Ｅ１によって、第１円板Ｍ１を依然として駆動できるであろう。そして、この相互的係合Ｌ２／Ｅ１は、この第５インデックスシーケンスの後、図９Ｆにおいて点検され得るが、これによって、その後直ちに、前の段落で説明された第４インデックスシーケンスにおけるインデックスが可能になるであろう。そして、第１シーケンスなどが続く。
【００５３】
実際に、いったんこのインデックスが遂行されると、１つの全体的な表示サイクルが完了し、且つ２つの円板の角度位置は、開口部に関して同一である。即ち、第２ばね板、及び第１列Ｕ１の第１の１の位の数字ｕ１の第１の数字「２」は、実質的に文字盤上の１０時に位置する。即ち、それの直ぐ上方にある角度セグメントは、文字盤上でほぼ１０時にある表示開口部に対応する。
【００５４】
前述のことから理解されるであろうが、提案された総括日付表示装置に対して、他の表示代替物が可能である。それは、特に、説明された好ましい実施形態とは違って、各円板の上で、文字が、放射状ではなく、接線方向に向けられた記号を用いた表示装置に関するものである。２つの表示円板の間で、他のプログラミング機構及び連結機構を用いた他の表示変形例もまた可能である。それは、特に、垂直にではなく、放射状に係合する、引っ込め可能な旋回歯を有するものであり、例えば、同心の表示円板が、円板及びリングで形成されるか、又は同等でない数の記号及びセグメントを備えた、２つの非同心の円板で形成されることさえある。
【符号の説明】
【００５５】
Ｍ１  第１円板
Ｍ２  第２円板
Ｑ１  第１日付値
Ｑ２  第２日付値
Ｉ１  第１系列の記号
Ｉ２  第２系列の記号
Ｕ１  第１列
Ｕ２  第２列
ｕ１  第１の１の位の数字
ｕ２  第２の１の位の数字
Ｓ１０〜Ｓ１９  第１表示セグメント
Ｓ２０〜Ｓ２９  第２表示セグメント
ｉ１  第１記号
ｉ２  第２記号
ｖ１  第１凹部
ｖ２  第２凹部
ｄ  １０の位の数字
Ｄ１  第１ギア歯部
Ｄ２  第２ギア歯部
Ｒ  ２４時間駆動ホイール
Ｄ１’  第１補助歯部
Ｄ２’  第２補助歯部
Ｐ１  第１ギア平面
Ｐ２  第２ギア平面
Ｐ１’  第３ギア平面
Ｐ２’  第４ギア平面
Ｐ  保持プレート
Ｋ  固定ギアセクタ
Ｌ１  第１ばね板
Ｌ２  第２ばね板
Ｔ１  第１（駆動）柱
Ｔ２  第２（駆動）柱
Ｔ３  第３（駆動）柱
Ｅ１  第１切欠
Ｅ２  第２切欠
Ｅ３  第３切欠
Ｍ０  規準ピニオン
Ｒｅ  ギアセクタ
Ｒｄ１  第１ギア歯
Ｒｄ２  第２ギア歯
ｂ１  第１補正歯
ｂ２  第２補正歯
ｂ３  第３補正歯
ｂ４  第４補正歯
Ｊ１  第１ジャンパー
Ｊ２  第２ジャンパー
Ｆ１  第１（表示）窓
Ｆ２  第１（表示）窓
Ｃ  文字盤
【図１Ａ】
2016126009.tif 000003
【図１Ｂ】
2016126009.tif 000004
【図１Ｃ】
2016126009.tif 000005
【図１Ｄ】
2016126009.tif 000006
【図２Ａ】
2016126009.tif 000007
【図２Ｂ】
2016126009.tif 000008
【図２Ｃ】
2016126009.tif 000009
【図２Ｄ】
2016126009.tif 000010
【図３Ａ】
2016126009.tif 000011
【図３Ｂ】
2016126009.tif 000012
【図４Ａ】
2016126009.tif 000013
【図４Ｂ】
2016126009.tif 000014
【図５Ａ】
2016126009.tif 000015
【図５Ｂ】
2016126009.tif 000016
【図５Ｃ】
2016126009.tif 000017
【図５Ｄ】
2016126009.tif 000018
【図５Ｅ】
2016126009.tif 000019
【図５Ｆ】
2016126009.tif 000020
【図６Ａ】
2016126009.tif 000021
【図６Ｂ】
2016126009.tif 000022
【図６Ｃ】
2016126009.tif 000023
【図６Ｄ】
2016126009.tif 000024
【図６Ｅ】
2016126009.tif 000025
【図６Ｆ】
2016126009.tif 000026
【図６Ｇ】
2016126009.tif 000027
【図７Ａ】
2016126009.tif 000028
【図７Ｂ】
2016126009.tif 000029
【図７Ｃ】
2016126009.tif 000030
【図７Ｄ】
2016126009.tif 000031
【図７Ｅ】
2016126009.tif 000032
【図７Ｆ】
2016126009.tif 000033
【図８Ａ】
2016126009.tif 000034
【図８Ｂ】
2016126009.tif 000035
【図８Ｃ】
2016126009.tif 000036
【図８Ｄ】
2016126009.tif 000037
【図８Ｅ】
2016126009.tif 000038
【図８Ｆ】
2016126009.tif 000039
【図９Ａ】
2016126009.tif 000040
【図９Ｂ】
2016126009.tif 000041
【図９Ｃ】
2016126009.tif 000042
【図９Ｄ】
2016126009.tif 000043
【図９Ｅ】
2016126009.tif 000044
【図９Ｆ】
2016126009.tif 000045